(57)【要約】【課題】床下に入っての面倒な作業を行うことなく、また床下の基礎部分を損傷することなく、床下配管の先端部分を床上に出すことを可能にする床下配管の立上支持具及びそれを用いた床下配管の立ち上げ支持方法を提供すること。【解決手段】固定側取り付けベース３と可動側取り付けベース９を有する取付ベース２と、取付ベース２に取り外し自在に立設された一対の支柱１２と、支柱１２に備えられた挟持手段１３とを具備した立上支持具を用いて、取付ベース２を床下の基礎部分に固定し、床下を這わせた配管１５を挟持手段１３によって支柱１２に仮止めしつつ配管１５の先端部分を床上となる位置に出し、配管１５の先端部分が床板から突出可能な配置で床板に貫通孔を形成しつつ床を形成し、床板に形成した貫通孔を介して支柱１２を床上に引き上げることで支柱１２を取付ベース２から取り外すことを特徴とする。【選択図】図２
2012117550.tif 000002
【特許請求の範囲】
【請求項１】
床下を這わせた床下配管を立ち上がらせてその先端部分を床上に出すために用いる床下配管の立上支持具であって、
床下の基礎部分に取り付けられる取付ベース（２）と、
該取付ベース（２）に取り外し自在に立設された、前記配管を支持しつつ立ち上げるための一対の支柱（１２）と、
該支柱（１２）に備えられた、配管の先端部分を仮止めするための挟持手段（１３）と、を具備し、
前記取付ベース（２）は、
床下の基礎部分に取り付けられる固定側取付ベース（３）と、
該固定側取付ベース（３）に、固定側取付ベース（３）に対して相対移動自在に連結され、前記固定側取付ベース（３）に対して所定長だけ相対移動した状態で床下の基礎部分に取り付けられる可動側取付ベース（９）と、を具備し、
前記固定側取付ベース（３）は、前記支柱（１２）の一方が取り外し自在に立設された固定側挿入部（４０５）と、固定側取付ベース（３）を床下の基礎部分に取り付けるために用いられる固定側取付孔（６０３）と、を有し、
前記可動側取付ベース（９）は、前記支柱（１２）の他方が取り外し自在に立設された可動側挿入部（１１０１）と、可動側取付ベース（９）を床下の基礎部分に取り付けるために用いられる可動側取付孔（１１０２）と、を有したことを特徴とする床下配管の立上支持具。
【請求項２】
請求項１に記載の床下配管の立上支持具を用いて、床下を這わせた床下配管を立ち上がらせてその先端部分を床上に出す方法であって、
前記固定側取付ベース（３）に対して可動側取付ベース（９）を所定長だけ相対移動して、前記固定側挿入部（４０５）と可動側挿入部（１１０１）の間隔を所望する間隔に設定するとともに、前記固定側取付ベース（３）及び可動側取付ベース（９）を前記固定側取付孔（６０３）及び可動側取付孔（１１０２）を介して床下の基礎部分に固定し、
床下を這わせた配管（１５）を前記挟持手段（１３）によって前記支柱（１２）に仮止めしつつ、配管（１５）の先端部分を床上となる位置に出し、
配管（１５）の先端部分が床板から突出可能な配置で床板に貫通孔を形成しつつ、床を形成し、
その後に、前記床板に形成した貫通孔を介して、前記支柱（１２）を床上に引き上げることで前記支柱（１２）を前記取付ベース（２）から取り外す、ことを特徴とする床下配管の立ち上げ支持方法。
【発明の詳細な説明】
【技術分野】
【０００１】
本発明は床下配管の立上支持具及びそれを用いた床下配管の立ち上げ支持方法に係り、より詳しくは、面倒な作業を行うことなく、また床下の基礎部分を損傷すること無く、床下配管を床上に出すことを可能とする床下配管の立上支持具及びそれを用いた床下配管の立ち上げ支持方法に関する。
【背景技術】
【０００２】
一般的に家屋の新築工事等において、給水配管、給湯配管を施工するに際しては、床下を這わせた床下配管の先端部を、蛇口等を配設する箇所において床上に出す必要があるが、そのために従来から、床を作る前に、床下を這わせてきた床下配管を先端が床上に出るような配置で立ち上げておき、床を作る際に、配管の先端部分を出した箇所において床板に穴をあけることが行われている。
【０００３】
ここで、この床下配管の立ち上げ作業について詳細に説明すると、まず、床下配管を立ち上げる箇所において、床下の基礎部分のコンクリートにメネジのアンカーを埋めておき、このアンカーに長尺のガイドネジの基端部分を螺合し、ガイドネジの先端部分が、床面の上に位置するようにしておく。
【０００４】
そして次に、床下の基礎部分のコンクリートを這わせてきた配管の先端を、ガイドネジに沿って床上部分まで立ち上がらせて、その後に、その床上部分に立ち上がらせた配管の先端部分を、例えばテープ等によって、ガイドネジに仮止めしておく。
【０００５】
そして、床を作るときに、ガイドネジ及び配管が床上に出るように、床板における、ガイドネジ及び配管が位置する部分に穴を開けておく。
【０００６】
そして、床が完成した後に、配管を床板部分に固定するとともに、床下に入って、ガイドネジを基礎のアンカーから取り外し、更に、アンカーの穴に水が入らないように、アンカー穴をセメント等で埋め、これにより、床下配管の立ち上げ作業が終了する。
【先行技術文献】
【特許文献】
【０００７】
【特許文献１】特開２００６−１６１２７１号公報
【特許文献２】特開２００４−１１６７５９号公報
【特許文献３】特開２０００−８７４０１号公報
【特許文献４】特開平１０−２９９９５２号公報
【特許文献５】特開平９−２６０５８号公報
【発明の概要】
【発明が解決しようとする課題】
【０００８】
このように、従来の床下配管の立ち上げ作業では、床下の基礎部分にアンカーを埋めて、このアンカーにガイドネジを螺合させ、床上になる位置においてガイドネジに床下配管の先端を仮止めし、床を作った後に、床下に入ってガイドネジを取外すとともにアンカーを埋めていたために、床を作った後に、狭い床下空間での作業が必要になり、作業が大変であった。
【０００９】
また、アンカーを基礎部分のコンクリートに埋めた場合には、基礎部分のコンクリートにひびが入ってしまうおそれがあるとともに、アンカーを用いた場合にアンカーは基礎部分のコンクリートに埋めたままであるため、時間の経過とともにアンカーが錆びて膨張してしまい、それによりコンクリートが損傷して基礎が弱くなってしまうという問題点があった。
【００１０】
その一方、このように、床を作る前に床下配管を床上に出しておく作業をしておかず、配管部分に穴をあけずに床を作ってしまうと、床を作った後に床板に穴を開けなければならないが、このとき、床下配管の先端部分の位置が正確にはわからずに、穴を開ける作業が大変になってしまう。
【００１１】
そこで、本発明は、床下に入っての面倒な作業を行うことなく、また床下の基礎部分を損傷することなく、床下配管の先端部分を床上に出すことを可能にする床下配管の立上支持具及びそれを用いた床下配管の立ち上げ支持方法を提供することを課題としている。
【課題を解決するための手段】
【００１２】
本発明の床下配管の立上支持具は、床下を這わせた床下配管を立ち上がらせて先端部分を床上に出すために用いる床下配管の立上支持具であって、
床下の基礎部分に取り付けられる取付ベースと、
該取付ベースに取り外し自在に立設された、前記配管を支持しつつ立ち上げるための一対の支柱と、
該支柱に備えられた、配管の先端部分を仮止めするための挟持手段と、を具備し、
前記取付ベースは、床下の基礎部分に取り付けられる固定側取付ベースと、
該固定側取付ベースに、固定側取付ベースに対して相対移動自在に連結され、前記固定側取付ベースに対して所定長だけ相対移動した状態で床下の基礎部分に取り付けられる可動側取付ベースと、を具備し、
前記固定側取付ベースは、前記支柱の一方が取り外し自在に立設された固定側挿入部と、固定側取付ベースを床下の基礎部分に取り付けるために用いられる固定側取付孔と、を有し、
前記可動側取付ベースは、前記支柱の他方が取り外し自在に立設された可動側挿入部と、可動側取付ベースを床下の基礎部分に取り付けるために用いられる可動側取付孔と、を有したことを特徴としている。
【００１３】
そして、この床下配管の立上支持具を用いて、床下を這わせた床下配管を立ち上がらせて先端部分を床上に出す本発明の立ち上げ支持方法では、
前記固定側取付ベースに対して可動側取付ベースを所定長だけ相対移動して、前記固定側挿入部と可動側挿入部の間隔を所望する間隔に設定するとともに、前記固定側取付ベース及び可動側取付ベースを床下の基礎部分に固定し、
床下を這わせた配管を前記挟持手段によって前記支柱に仮止めしつつ配管の先端部分を床上となる位置に出し、
配管の先端部分が床板から突出可能な配置で床板に貫通孔を形成しつつ、床を形成し、
その後に、前記貫通孔を介して、前記支柱を床上に引き上げることで前記支柱を前記取付ベースから取り外す、ことを特徴としている。
【発明の効果】
【００１４】
本発明では、床下の基礎部分に取り付けられる取付ベースと、この取付ベースに取り外し自在に立設され、配管を支持しつつ立ち上げるための一対の支柱を具備して、取付ベースを床下の基礎部分に取り付けた後に、床下を這わせた配管を挟持手段によって支柱に仮止めしつつ配管の先端部分を床上となる位置に出し、配管の先端部分が床板から突出可能な配置で床板に貫通孔を形成しつつ、床を形成した後に、床板に形成した貫通孔を介して、支柱を床上に引き上げることで支柱を取付ベースから取り外すことを特徴としている。
【００１５】
そのために、床下の基礎部分にアンカーを埋める必要が無いので、床を形成した後に床下に入ってガイドネジを外すとともにアンカーの孔を埋めることが不要となり、床下配管の立ち上げ作業が極めて容易になった。
【００１６】
また、アンカーを用いることなく床下配管を床上に立ち上げることができるので、基礎部分のコンクリートにひびが入ってしまうことが無いとともに、アンカーの錆びによる膨張で基礎部分のコンクリートが損傷して基礎が弱くなってしまうことも回避できる。
【００１７】
従って、本発明によれば、床下に入っての面倒な作業を行うことなく、また床下の基礎部分を損傷することなく、床下配管の先端部分を床上に出すことが可能となった。
【図面の簡単な説明】
【００１８】
【図１】本発明の立上支持具の実施例を示した斜視図である。
【図２】本発明の立上支持具の実施例の使用状態を示した斜視図である。
【図３】本発明の立上支持具の実施例における取付ベースを説明するための図であり、平面側から見た状態を示している。
【図４】本発明の立上支持具の実施例における取付ベースを説明するための図であり、正面側から見た状態を示している。
【図５】本発明の立上支持具の実施例における取付ベースを説明するための図であり、側面側から見た状態を示している。
【図６】図３におけるＡ−Ａ線断面図である。
【図７】本発明の立上支持具の実施例における可動側取付ベースを説明するための図であり、平面側から見た状態を示している。
【図８】本発明の立上支持具の実施例における可動側取付ベースを説明するための図であり、正面側から見た状態を示している。
【発明を実施するための形態】
【００１９】
本発明の床下配管の立上支持具では、床下の基礎部分に取り付けられる取付ベースを有しており、この取付ベースには、床下を這わせた配管を支持しつつ立ち上げるための一対の支柱が取り外し自在に立設されている。
【００２０】
また、前記支柱には、配管の先端部分を仮止めするための挟持手段が備えられており、この挟持手段によって配管の先端部分を仮止めすることで、支柱によって、配管を支持しつつ立ち上げることを可能にしている。
【００２１】
更に、前記取付ベースは、固定側取付ベースと可動側取付ベースで構成されており、固定側取付ベースは、床下の基礎部分にビス等によって固定されることとしている。
【００２２】
一方、可動側取付ベースは、固定側取付ベースに、固定側取付ベースに対して相対移動自在に連結されており、固定側取付ベースに対して所定長だけ相対移動した状態で床下の基礎部分に取り付けられることとしている。
【００２３】
そして、固定側取付ベースは、前記支柱の一方が取り外し自在に立設された固定側挿入部と、固定側取付ベースを床下の基礎部分に取り付けるために用いられる固定側取付孔とを有しており、固定側取付孔を介してビス等によって、基礎部分に取り付けられる。
【００２４】
一方、可動側取付ベースもまた、支柱の他方が取り外し自在に立設された可動側挿入部と、可動側取付ベースを床下の基礎部分に取り付けるために用いられる可動側取付孔を有しており、可動側取付孔を介してビス等によって、基礎部分に取り付けられる。
【００２５】
そして、このように構成される床下配管の立上支持具を用いて、床下を這わせた床下配管を立ち上がらせて先端部分を床上に出す本発明の床下配管の立ち上げ支持方法では、まず、固定側取付ベースに対して可動側取付ベースを所定長だけ相対移動して、固定側挿入部と可動側挿入部の間隔を所望する間隔に設定するとともに、固定側取付ベースと可動側取付ベースを、固定側取付孔及び可動側取付孔からビス等を打ち込んで、床下の基礎部分に固定する。
【００２６】
そしてこの状態で、床下を這わせた配管を、支柱に沿って立ち上げながら、挟持手段によって支柱に仮止めし、配管の先端部分を、床上となる位置に出す。
【００２７】
そして次に、床上となる位置に題した配管の先端部分が床板から突出可能な配置で、床板に貫通孔を形成しつつ、床板を敷き詰めて床を形成する。
【００２８】
そしてその後に、床上に位置している配管の先端部分を床板に固定するとともに、床板に形成した貫通孔を介して、支柱を床上に引き上げ、それにより、支柱を取付ベースから取り外し、これにより、床下配管を床上へ立ち上げる作業が完了する。
【実施例１】
【００２９】
本発明の床下配管の立上支持具（以下単に「立上支持具」という。）の実施例について図面を参照して説明すると、図１は、本実施例の立上支持具の斜視図であり、また、図２は本実施例の立上支持具によって床下配管を立ち上げている状態を示した図であり、図において１が本実施例の立上支持具であり、また、図２において１５は床下を這わせてきた配管である。
【００３０】
そして、本実施例の立上支持具１は、床下の基礎部分のコンクリート等に取り付けられる取付ベースを有している。即ち、図において２が取付ベースであり、この取付ベース２には、床下配管を支持しつつ立ち上げるための支柱１２が一対本立設されている。
【００３１】
ここで、前記取付ベース２について説明すると、図３乃至図６は本実施例の取付ベース２を説明するための図であり、図３は本実施例の取付ベース２を平面側から見た図、図４は本実施例の取付ベース２を正面側から見た図、図５は本実施例の取付ベース２を右側面側から見た図、図６は図３におけるＡ−Ａ線断面図である。
【００３２】
そして、本実施例において前記取付ベース２は、固定側取付ベース３と可動側取付ベース９で構成されており、前記固定側取付ベース３は、平面視野で長方形状とし、側面視野を門状とし、左右の側面側を開口とした固定側本体部を有している。
【００３３】
即ち、図において４が固定側本体部であり、本実施例において前記固定側本体部４は、平板状とした長方形状の上面部４０１と、この上面部４０１の長手方向に沿った両端に下方へ向けて連設された一対の脚部４０２とで構成され、左右側は開口部４０３とし、上面部４０１と脚部４０２で囲まれた空間を挿入溝４０４としている。
【００３４】
そして、脚部４０２の下端部全域には、固定側本体部４から離れる方向に向けて、脚部４０２と互いに直交する配置で、当接縁部５が連設されている。
【００３５】
また、前記上面部４０１における長手方向に向いた一方側には、一方の開口部４０３を閉鎖する配置でストッパーが連設されている。即ち、図において６がストッパーであり、本実施例においてこのストッパー６は、正面視野において逆Ｌ字状としており、前記上面部４０１の端部に下方に向けて連設されるとともに固定側本体部４の開口部４０３を閉鎖する壁部６０１と、この壁部６０１の下端部に、本体部４の外側に向けて連設された固定部６０２とを有している。
【００３６】
そして、前記固定部６０２には、ビスが挿入される固定側取付孔としてのビス孔６０３が形成されており、このビス孔６０３にビスを挿入しつつ。ビスを床下の基礎部分のコンクリートに打ち込むことで、固定側取付ベース３を床下の基礎部分に取り付けることを可能にしている。
【００３７】
また、前記上面部４０１には、前記支柱１２を立設するための固定側挿入部４０５が形成されており、本実施例においてこの固定側挿入部４０５は、円柱状としており、内周側にはねじ切りを施し、その内部に支柱１２の下端部を挿入することで、固定側取り付けベース３に前記支柱１２の一方を立設可能としている。
【００３８】
次に、前記可動側取付ベースについて説明すると、図において９が可動側取付ベースであり、また、図７は前記可動側取付ベース９を平面側から示した図、図８は前記可動側取付ベース９を正面側から示した図である。
【００３９】
そして、本実施例において前記可動側取付ベース９は、前記挿入溝４０４内に挿入される平板状の可動側本体部１０を有しており、この可動側本体部１０における長手方向に向いた一端には平板状の固定部１１が連設されている。
【００４０】
また、前記固定部１１には、前記固定側挿入部４０５と同様の構成とした可動側挿入部１１０１が形成され、この可動側挿入部１１０１の内部に支柱１２の下端部を挿入することで、可動側取付ベース９に前記支柱１２の他方を立設可能としている。
【００４１】
そしてこれにより、可動側取付ベース９は、固定側取付ベース３に連結されているとともに、固定側取付ベース３に対して相対移動自在とされ、挿入溝４０４に対する可動側本体部１０の挿入割合を調整することで、前記一対の支柱１２の間隔を調整することを可能としている。
【００４２】
また、前記固定部１１には、更に、ビスが挿入される可動側取付孔としてのビス孔１１０２が形成されており、このビス孔１１０２にビスを挿入しつつ。ビスを床下の基礎部分のコンクリートに打ち込むことで、可動側取付ベース９を床下の基礎部分に取り付けることを可能にしている。
【００４３】
そして、本実施例において取付ベース２を床下の基礎部分のコンクリートに取り付けるときには、固定側取付ベース３における挿入溝４０４に対する可動側本体部１０の挿入割合を調整することで、前記一対の支柱１２の間隔を所望する距離に調整し、その状態で、前記固定側本体部４の上面部４０１に形成した長溝部４０６、及び可動側取付ベース９の可動側本体部１０に形成したネジ孔１００２を固定ネジ８で貫通しつつ固定ネジ８を締め付けて、これにより固定側取付ベース３に対する可動側取付ベース９の位置を固定する。
【００４４】
そして、その状態において、取付ベース２を床下の基礎部分のコンクリートにおける所望する箇所に設置し、固定側取付ベース３のビス孔６０３と可動側取付ベース９のビス孔１１０２を貫通させながら、ビス７を基礎部分のコンクリートに打ち込み、これにより、取付ベース２を床下の基礎部分のコンクリートに取り付ける。
【００４５】
なお、本実施例において前記固定部１１は、可動側本体部１０に対して階段状に一段下げて連設しているが、必ずしもこのように段差を設けて連設する必要は無い。
【００４６】
また、図７において１００１は目盛であり、この目盛１００１は、固定側取り付けベース３に対して可動側取付ベース９を移動させる際の目安として用いるものであり、前記固定側取付ベース３の上面部４０１に形成した窓４０７を介して目視可能としている。
【００４７】
次に、前記支柱について説明すると、図において１２が支柱であり、本実施例において前記支柱１２は、長尺の円柱状として、外周全面にねじ切りを施しており、前記固定側取付ベース３の固定側挿入部４０５、及び可動側取付ベース９の可動側挿入部１１０１内に基端部を螺合することで、固定側取付ベース３及び可動側取付ベース９に立設され、更に、螺合を解除する方向に回すことで、固定側取付ベース３及び可動側取付ベース９から取り外すことを可能にしている。
【００４８】
また、前記支柱１２は、前記取付ベース２を床下の基礎部分のコンクリートに取り付けた際に、先端部が床板の上に突出可能な長さ寸法としている。
【００４９】
そして、前記支柱１２のそれぞれにおける、長手方向に見た中間部分には、半丸環状の保持手段１４を備えており、更に、前記支柱１２のそれぞれにおける、長手方向に見た先端部分には、鋏状とした挟持手段１３が備えられており、図２に示すように、前記保持手段１４及び挟持手段１３によって、床下を這わせてきた配管１５を、上方に立ち上げつつ支柱１２に支持可能としている。
【００５０】
次に、このように構成される本実施例の立上支持具２を用いて、床下を這わせてきた床下配管を立ち上がらせて先端部分を床上に出す本発明の方法（以下「立ち上げ支持方法」という。）の実施例について説明すると、本実施例の立ち上げ支持方法ではまず、前記一対の支柱１２の基端部分をそれぞれ前記固定側取付ベース３の固定側挿入部４０５及び可動側取付ベース９の可動側挿入部１１０１内に螺合することで固定側取付ベース３及び可動側取付ベース９に一対の支柱１２を立設した状態で、前記固定側取付ベース３に対して可動側取付ベース９を所定長だけ相対移動して、前記固定側挿入部４０５と可動側挿入部１１０１の間隔を所望する間隔に設定し、即ち、一対の支柱１２の間隔を所望する間隔に設定し、その状態で、前記固定側本体部４の上面部４０１に形成した長溝部４０６、及び可動側取付ベース９の可動側本体部１０に形成したネジ孔１００２を固定ネジ８で貫通しつつ固定ネジ８を締め付けて、固定側取付ベース３に対する可動側取付ベース９の位置を固定する。
【００５１】
そして、それとともに、前記固定側取付ベース３と可動側取付ベース９を、前記ビス孔６０３及び１１０２を介して、ビスによって、床下の基礎部分のコンクリートの所望する箇所に、即ち、配管１５の先端部分を床上の所望する箇所に出すことが可能な箇所に、固定する。
【００５２】
そして、このようにして取付ベース２を固定した後に、床下を這わせた配管１５を、前記保持手段１４及び挟持手段１３によって前記支柱１２に仮止めしつつ、配管１５の先端部分を、床上となる位置に出しておく。なおこのとき、前述したように、前記支柱１２は、前記取付ベース２を床下の基礎部分のコンクリートに取り付けた際に先端部が床板の上に突出可能な長さ寸法のものを用いる。
【００５３】
次に、床を形成するに際して、前記のように床上となる位置に出しておいた配管１５、及び支柱１２の先端部分が床板から突出可能な配置で、床板に貫通孔を形成しつつ、床を形成する。
【００５４】
そして、このようにして、配管１５及び支柱１２の先端を床板から上方に突出させた状態で床を形成した後に、配管１５の先端部分を床上の所定箇所に固定するとともに、床板に形成した貫通孔を介して、前記一対の支柱１２のそれぞれを、固定側挿入部４０５及び可動側挿入部１１０１との螺合を解除する方向に回すことで固定側取付ベース３及び可動側取付ベース９から外して、床上に引き上げて、これによって、床下配管の立ち上げ支持の作業が終了する。
【００５５】
そしてこのとき、本実施例では、アンカーを用いることなく、床下配管を立ち上げることができるので、床を形成した後に床下に入ってガイドネジを外すとともにアンカーの孔を埋めることが不要となり、床下配管の立ち上げ作業が極めて容易になった。
【００５６】
また、アンカーを用いることなく床下配管を床上に立ち上げることができるので、基礎部分のコンクリートにひびが入ってしまうことが無いとともに、アンカーの錆びによる膨張で基礎部分のコンクリートが損傷して弱くなってしまうことも回避できる。
【００５７】
更に、本実施例の立上支持具では、配管を支持するための支柱を一対本備えるとともに、この支柱間の間隔を自在に調整することができるので、給水口、給湯口の位置に合わせて配管を立ち上げることが可能であり、この点においても、床下配管の立ち上げ作業が容易である。
【００５８】
このように、本実施例の立上支持具及びそれを用いた立ち上げ方法によれば、床下に入っての面倒な作業を行うことなく、また床下の基礎部分を損傷することなく、床下配管の先端部分を床上に出すことが可能である。
【産業上の利用可能性】
【００５９】
本発明の床下配管の立上支持具及びそれを用いた床下配管の立ち上げ支持方法は、配管内を流れる流体の種類を問わず、床下を這わせてきた配管を床上に立ち上げるための支持具及び作業の全般に適用可能である。
【符号の説明】
【００６０】
１    立上支持具
２    取り付けベース
３    固定側取付ベース
４    固定側本体部
４０１    上面部
４０２    脚部
４０３    開口部
４０４    挿入溝
４０５    固定側挿入部
４０６    長溝部
４０７    窓
５    当接縁部
６    ストッパー
６０１    壁部
６０２    固定部
６０３    ビス孔
８    固定ネジ
９    可動側取付ベース
１０    可動側本体部
１００１    目盛
１００２    ネジ孔
１１    固定部
１１０１    可動側挿入部
１１０２    ビス孔
１２    支柱
１３    挟持手段
１４    保持手段
１５    配管
【図１】
2012117550.tif 000003
【図２】
2012117550.tif 000004
【図３】
2012117550.tif 000005
【図４】
2012117550.tif 000006
【図５】
2012117550.tif 000007
【図６】
2012117550.tif 000008
【図７】
2012117550.tif 000009
【図８】
2012117550.tif 000010